(57)【要約】【課題】輝度の均一性を向上させることができる面状照明装置を提供すること。【解決手段】実施形態に係る面状照明装置は、複数の光源と、導光板と、光選択部材とを備える。導光板は、光学素子が形成される主面であり、光源の光が入射する入射面と、入射面とは反対側の主面であり、入射面から入射した光を出射する出射面とを有する。光選択部材は、導光板に対して出射面側に並列され、導光板から出射した光が入射する入光面に対する光の入射角度が入光面と略平行な角度であるほど反射率が低い角度依存性を有する。【選択図】図３
2020009556.tif 000002
【特許請求の範囲】
【請求項１】
複数の光源と、
光学素子が形成される主面であり、前記光源の光が入射する入射面と、前記入射面とは反対側の主面であり、前記入射面から入射した光を出射する出射面とを有する導光板と、
前記導光板に対して前記出射面側に並列され、前記導光板から出射した光が入射する入光面に対する当該光の入射角度が前記入光面と略平行な角度であるほど反射率が低い角度依存性の光選択部材と
を備える、面状照明装置。
【請求項２】
前記光源の光によって励起されて所定色の光を発する波長変換部材をさらに備え、
前記光選択部材は、
前記導光板および前記波長変換部材の間に配置される
請求項１に記載の面状照明装置。
【請求項３】
複数の光源と、
光学素子が形成される主面であり、前記光源の光が入射する入射面と、前記入射面とは反対側の主面であり、前記入射面から入射した光を出射する出射面とを有する導光板と、
前記導光板に対して前記出射面側に並列され、入光した光が出光する出光面に対して略垂直に交差する光を反射し、略垂直以外の角度で交差する光を透過する角度依存性の光選択部材と
を備える、面状照明装置。
【請求項４】
前記光選択部材は、
前記出光面に形成された光学素子により前記角度依存性を有する光学シートである
請求項３に記載の面状照明装置。
【請求項５】
前記導光板の出射面側に設けられ、前記光源の光によって励起されて所定色の光を発する波長変換部材をさらに備え、
前記光選択部材は、
前記波長変換部材に対して前記導光板とは反対側に配置される
請求項３または４に記載の面状照明装置。
【請求項６】
前記光選択部材は、
前記導光板から離れる方向へ向かって突出した前記光学素子を有する
請求項３または４に記載の面状照明装置。
【請求項７】
前記光選択部材に対して前記導光板と反対側に設けられ、互いに直交する第１延在方向および第２延在方向に延在する光学素子を有する光学部材をさらに備え、
前記光選択部材は、
互いに直交するとともに、前記第１延在方向および前記第２延在方向とは異なる第３延在方向および第４延在方向に延在する光学素子を有する
請求項３〜６のいずれか１つに記載の面状照明装置。
【請求項８】
前記導光板は、
前記出射面から突出し、前記出射面の沿面方向で前記光源から離れるほど隣接間隔が密になる複数の突出部を有する
請求項１〜６のいずれか１つに記載の面状照明装置。
【発明の詳細な説明】
【技術分野】
【０００１】
本発明は、面状照明装置に関する。
【背景技術】
【０００２】
従来、バックライトとも呼ばれ、液晶表示装置の表示パネルを背面側から照明する面状照明装置が知られている。バックライトとしての面状照明装置には、例えば、導光板の直下に複数の光源が配置される直下型の面状照明装置がある（例えば、特許文献１参照）。
【先行技術文献】
【特許文献】
【０００３】
【特許文献１】特開２０１２−１３８３４５号公報
【発明の概要】
【発明が解決しようとする課題】
【０００４】
しかしながら、従来の技術では、発光面について、光源の直上の輝度が、直上周辺に比べて高くなることで、輝度の均一性が低下するおそれがあった。
【０００５】
本発明は、上記に鑑みてなされたものであって、輝度の均一性を向上させることができる面状照明装置を提供することを目的とする。
【課題を解決するための手段】
【０００６】
上述した課題を解決し、目的を達成するために、本発明の一態様に係る面状照明装置は、複数の光源と、導光板と、光選択部材とを備える。前記導光板は、光学素子が形成される主面であり、前記光源の光が入射する入射面と、前記入射面とは反対側の主面であり、前記入射面から入射した光を出射する出射面とを有する。前記光選択部材は、前記導光板に対して前記出射面側に並列され、前記導光板から出射した光が入射する入光面に対する当該光の入射角度が前記入光面と略平行な角度であるほど反射率が低い角度依存性を有する。
【０００７】
本発明の一態様によれば、輝度の均一性を向上させることができる。
【図面の簡単な説明】
【０００８】
【図１】図１は、第１の実施形態に係る面状照明装置の正面図である。
【図２】図２は、第１の実施形態に係る面状照明装置の分解斜視図である。
【図３】図３は、第１の実施形態に係る面状照明装置の断面図である。
【図４】図４は、第１の実施形態に係る導光板の底面図である。
【図５】図５は、第１の実施形態に係る導光板の断面図である。
【図６】図６は、変形例に係る２部材構成の光学部材の分解斜視図である。
【図７】図７は、第２の実施形態に係る面状照明装置の断面図である。
【図８】図８は、第２の実施形態に係る光選択部材の上面図である。
【図９】図９は、第２の実施形態に係る光選択部材の断面図である。
【図１０】図１０は、第２の実施形態の変形例に係る光選択部材および光学部材の上面図である。
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。また、各図面において、説明を分かりやすくするために、面状照明装置の光の出射方向をＺ軸正方向とする３次元の直交座標系を図示する場合がある。
【００１０】
また、以下では、第１の実施形態および第２の実施形態について説明する。第１の実施形態は、光選択部材９が誘電体多層膜で構成されるシート部材であり、第２の実施形態は、光選択部材９がプリズムシートである場合を例に説明する。
【００１１】
まず、図１〜図３を用いて、第１の実施形態に係る面状照明装置の概要について説明する。図１は、第１の実施形態に係る面状照明装置１の正面図である。図２は、第１の実施形態に係る面状照明装置１の分解斜視図である。図３は、第１の実施形態に係る面状照明装置１の断面図である。
【００１２】
図１〜図３に示す面状照明装置１は、例えば、液晶表示装置のバックライトとして用いられる。かかる液晶表示装置は、例えば、車載装置（ナビゲーション装置や、デジタルメータ、インジケータ等）や、スマートフォン等の端末装置である。
【００１３】
図１〜図３に示すように、第１の実施形態に係る面状照明装置１は、光源２と、基板部３と、フレーム４と、導光板５と、波長変換部材６と、拡散部材７と、光学部材８と、光選択部材９とを備える。また、図１に示すように、第１の実施形態に係る面状照明装置１は、上面視において、フレーム４に囲まれた発光領域Ｒを有し、かかる発光領域Ｒから出射方向であるＺ軸正方向へ光を出射することで、図示しない液晶表示装置のバックライトとして機能する。
【００１４】
光源２は、例えば、ＬＥＤ（Light  Emitting  Diode）である。ＬＥＤとしての光源２は、例えば、青色光の波長帯を含む光を発する。あるいは、ＬＥＤとしての光源２は、白色光を発する光源であってもよい。具体的には、光源２は、青色光を発するＬＥＤと、青色光を励起光として赤色光および緑色光を発する蛍光体とに構成され、青色、赤色および緑色の波長を含む疑似的な白色光を発する。なお、蛍光体は、青色光を励起光として黄色光を発する蛍光体であってもよく、他の色の光を発する蛍光体であってもよい。
【００１５】
また、図１〜図３に示すように、光源２は、後述の導光板５におけるＺ軸負方向側である背面側に設けられ、自己の光の出射方向が面状照明装置１の光の出射方向（Ｚ軸正方向）と同軸である。つまり、実施形態に係る面状照明装置１は、いわゆる直下型である。
【００１６】
また、図１に示すように、複数の光源２は、Ｚ軸正方向側から見た正面視において、例えば、格子状に配列される。具体的には、複数の光源２は、面状照明装置１の正面視における長手方向（Ｘ軸方向）および短手方向（Ｙ軸方向）それぞれに沿って２次元で配列される。なお、複数の光源２は、格子状に配列される場合に限定されるものではなく、任意の配列であってよい。つまり、複数の光源２は、格子状のように一定の規則性をもった格子状以外の他の配列であってもよく、あるいは、不規則な配列であってもよい。
【００１７】
基板部３は、複数の光源２が設けられる部材であり、基板３ａと、反射部材３ｂとが積層される部材である。基板３ａは、例えば、フレキシブル基板（ＦＰＣ：Flexible  Printed  Circuit）であり、図示しない外部電源から供給される電力を光源２へ供給する。また、基板３ａは、Ｚ軸正方向側である一方の主面３ａ１側に光源２が実装される。つまり、基板３ａの主面３ａ１は、光源２が実装される実装面（以下、実装面３ａ１と記載する）である。
【００１８】
反射部材３ｂは、基板３ａおよび光源２の間において、実装面３ａ１を覆うようにして設けられる。反射部材３ｂは、後述の導光板５からＺ軸負方向側である反射部材３ｂ側へ漏れ出た光を反射して導光板５へ戻す。例えば、反射部材３ｂは、白色部材を採用可能である。
【００１９】
フレーム４は、例えば、樹脂製あるいは金属製の枠部材であり、反射部材３ｂ、導光板５、波長変換部材６、拡散部材７、光学部材８および光選択部材９を囲む。また、フレーム４は、Ｚ軸負方向側である基板３ａ側の端部が、図示しない絶縁部材を介して基板３ａに設けられる。具体的には、フレーム４の端部は、基板３ａの主面のうち、反射部材３ｂが設けられる主面の周端に設けられる。
【００２０】
導光板５は、例えば、透明材料（例えば、ポリカーボネート樹脂）からなる板状部材であり、光源２から発せられる光を内部に取り込んで導光させ、面状光に変換して発光する部材である。具体的には、導光板５は、基板３ａの実装面３ａ１と対向する一方の主面５ａ（以下、入射面５ａと記載する）側から光源２の光が入射し、主面５ａとは反対側の他方の主面５ｂ（以下、出射面５ｂと記載する）から光を出射する。
【００２１】
また、導光板５の入射面５ａには、光学素子５ａ１が形成される。光学素子５ａ１は、本実施形態では例えばプリズムであり、光源２の光が入射面５ａから入射する際に、一部の光を屈折させることで、光を複数の方向に分割させる。これにより、光源２のＺ軸正方向側である直上部の輝度を抑えることができ、輝度の均一性を向上させることができる。なお、光学素子５ａ１の詳細については後述する。
【００２２】
また、導光板５の出射面５ｂには、出射面５ｂから突出した突出部５ｂ１（本実施形態ではドット）が形成される。突出部５ｂ１は、光源２の直上部からＹ軸方向へ向かって離れるほど密に配置される。具体的には、突出部５ｂ１は、出射面５ｂの沿面方向（Ｘ軸方向またはＹ軸方向）で光源２から離れるほど、隣接間隔が密になる。つまり、突出部５ｂ１は、光源２の直上部に近づくほど疎に配置される。なお、突出部５ｂ１は、導光板５の厚み方向に突出する部位である場合を示したが、突出部５ｂ１は、導光板５の厚み方向に凹む部位であってもよい。
【００２３】
光選択部材９は、例えば、誘電体多層膜によって構成され、導光板５に対してＺ軸正方向側である出射面５ｂ側に並列して積層される。また、光選択部材９は、例えば、導光板５から出射した光に対して角度依存性がある。なお、角度依存性については後述する。
【００２４】
ここで、従来の面状照明装置について説明する。従来の面状照明装置は、導光板の直下に光源を配置した場合、光源の直上（Ｚ軸正方向側）の輝度が、直上周辺に比べて高くなることで、輝度の均一性が低下するおそれがあった。
【００２５】
そこで、第１の実施形態に係る面状照明装置１では、角度依存性を有する光選択部材９を備える。具体的には、光選択部材９は、光が入光する入光面９ａに対する光の入射角度が入光面９ａと略平行（Ｙ軸方向）な角度であるほど反射率が低い角度依存性を有する。
【００２６】
換言すれば、光選択部材９の角度依存性により、導光板５から出射された光は、入光面９ａに対して垂直に近い入射角度で入射した場合には、比較的反射率が高くなるため、反射して導光板５に戻る。一方、導光板５から出射された光は、入光面９ａに対して略平行に近い入射角度で入射した場合には、比較的反射率が低い、すなわち、透過率が高いため、光選択部材９を透過する。
【００２７】
すなわち、角度依存性の光選択部材９は、光源２の直上部へ進む光を反射し、光源２の直上から離れた周辺部へ進む光を透過する。これにより、光源２の直上部については、輝度を抑え、周辺部については、輝度を高めることができるため、全体として輝度の均一性を向上させることができる。
【００２８】
ここで、光選択部材９について図３を用いてさらに説明する。図３には、光源２から発せられた光Ｌ１，Ｌ２の光路を示している。なお、光Ｌ１は、光源２の直上部へ出射される光であり、光Ｌ２は、光源２の周辺部へ出射される光である。
【００２９】
まず、光Ｌ１について説明する。図３に示すように、光源２から出射された光Ｌ１は、まず、光学素子５ａ１を介して導光板５に入射され、出射面５ｂから出射する。
【００３０】
このとき、光源２の直上部に発せられた光Ｌ１の多くは、突出部５ｂ１が疎に配置された出射面５ｂから出射し、光Ｌ１の一部（図示せず）は、出射面５ｂで反射して反射部材３ｂ側へ戻る。また、出射面５ｂを出射した光Ｌ１は、光選択部材９に対して略垂直な入射角度で入射するため、光選択部材９の角度依存性により反射し、導光板５へ戻る。
【００３１】
そして、導光板５に戻った光Ｌ１は、入射面５ａから出る際に、光学素子５ａ１によって屈折される。そして、導光板５の入射面５ａから出た光Ｌ１は、基板部３の反射部材３ｂによって反射し、再び光学素子５ａ１を介して入射面５ａから導光板５に入射する。
【００３２】
つづいて、光Ｌ１は、出射面５ｂから再び出射される際に、突出部５ｂ１によって透過される。そして、出射面５ｂから出射された光Ｌ１は、光選択部材９の入光面９ａに対して略平行な角度に近い入射角度で入射するため、光選択部材９を透過する。
【００３３】
このように、光選択部材９は、導光板５において、光源２の直上から出射する光Ｌ１を反射し、光源２の直上周辺から出射する光Ｌ１を透過させるため、光源２の直上の輝度を抑えつつ、直上部の周辺については輝度を高めるため、全体として輝度の均一性を向上させることができる。つまり、光選択部材９により光Ｌ１を反射することで、光Ｌ１が再度光選択部材９に入射する際の入射角度を大きくできるため、直上部の周辺に出射される光を多くできる、すなわち、輝度の均一性を向上させることができる。
【００３４】
次に、光Ｌ２について説明する。光源２から出射された光Ｌ２は、まず、光学素子５ａ１を介して導光板５に屈折して入射される。そして、導光板５に入射した光Ｌ２は、出射面５ｂで反射して導光板５内を導光する。具体的には、光Ｌ２は、導光板５の出射面５ｂにより反射部材３ｂ側へ反射される。
【００３５】
そして、光Ｌ２は、光源２から離れる方向へ向かって導光しつつ、光Ｌ２の一部が入射面５ａから出る。入射面５ａから出た光Ｌ２は、反射部材３ｂによって反射し、再び光学素子５ａ１を介して入射面５ａから導光板５に入射する。そして、光Ｌ２は、突出部５ｂ１に当たり、突出部５ｂ１により透過され導光板５から出射する。
【００３６】
そして、光Ｌ２は、導光板５の出射面５ｂから出射した後、光選択部材９を透過し、出射される。このように、導光板５内を導光して出射する光Ｌ２により、輝度の均一性を向上させることができる。
【００３７】
また、導光板５の出射面５ｂには、出射面５ｂから突出した突出部５ｂ１が形成され、突出部５ｂ１は、光源２の直上部からＹ軸方向へ向かって離れるほど密に配置される。これにより、導光板５内を導光した光Ｌ２の一部は、光源２の直上部周辺に密に配置された突出部５ｂ１に当たり、光源２の直上部周辺へ透過される。従って、光源２の直上の輝度を抑えつつ、輝度の均一性を向上させることができる。
【００３８】
なお、図３では、光源２が青色光を発する場合について説明したが、例えば、光源２が白色光を発する場合にも適用可能である。また、光源２が白色光を発する場合、後述の波長変換部材６は省略されてもよい。
【００３９】
波長変換部材６は、光源２の光Ｌ（例えば、青色光）によって励起されることで、赤色光および緑色光を発する蛍光体を有する波長変換部材である。具体的には、波長変換部材６は、光選択部材９を透過した光Ｌである青色光と、青色光によって励起された赤色光および緑色光との波長を含む疑似的な白色光を出射する。なお、波長変換部材６は、青色光によって黄色の光が励起されて白色を出射する構成であってもよく、あるいは、他の色の光を出射する構成であってもよい。また、波長変換部材６は、量子ドットで構成されもよい。
【００４０】
拡散部材７は、波長変換部材６から出射された光を拡散する。拡散部材７は、拡散した光をＺ軸正方向側である光学部材８へ出射する。
【００４１】
光学部材８は、拡散部材７によって拡散された光に対して均一化や集光化等といった配光制御等の光学的な調整を行う部材である。具体的には、光学部材８は、拡散部材７とは反対側の主面にプリズム８１を有するプリズムシートである。プリズム８１は、Ｚ軸正方向側である光の出射方向に向かって凸状であり、換言すれば、断面視で略三角形状であり、拡散部材７から入射した光が反射および屈折することで、所定の範囲内に集約された光が出射される。
【００４２】
なお、光学部材８は、１つのプリズムシートで構成される場合に限定されず、プリズム８１の延在方向が異なる２つのプリズムシートで構成されてもよいが、かかる点の詳細については図６で後述する。
【００４３】
次に、図４および図５を用いて、導光板５の光学素子５ａ１について詳細に説明する。図４は、導光板５の底面図の一部を示す図である。図５は、導光板５の断面図である。なお、図５には、図４のＢ−Ｂ線で切断した場合の断面図を示す。
【００４４】
図４に示すように、複数の光学素子５ａ１は、ＸＹ平面上において、行方向および列方向それぞれに配列される。なお、光学素子５ａ１の配列方法は、図４に示す行列方向に限定されるものではなく、例えば、千鳥配置等の任意の配列方法であってよい。
【００４５】
また、図４および図５に示すように、光学素子５ａ１は、Ｚ軸負方向側である光源２側へ向かって凸状の形状で形成される。具体的には、光学素子５ａ１は、４つの傾斜面５０ａ〜５０ｄによって形成される四角錐である。
【００４６】
より具体的には、図５に示すように、互いに対向する２つの傾斜面５０ａ，５０ｂが四角錐の頂点で直交する。なお、図示しないが、他の２つの傾斜面５０ｃ，５０ｄも同様に、四角錐の頂点で直交する。これにより、光源２の光Ｌが光学素子５ａ１の傾斜面５０ａ〜５０ｄから入射することで、光Ｌの大部分が広角側へ屈折することができる。さらに、導光板５の入射面５ａに光学素子５ａ１を設けたことにより、光源２と導光板５との位置ずれが発生した場合であっても、かかる位置ずれを実質的に無効化できるため、輝度の均一性が低下することを防ぐことができる。
【００４７】
なお、互いに対向する２つの傾斜面５０ａ，５０ｂ（あるいは傾斜面５０ｃ，５０ｄ）は、直交する場合に限定されるものではなく、２つの傾斜面５０ａ，５０ｂ（あるいは傾斜面５０ｃ，５０ｄ）が鋭角または広角に交差してもよい。
【００４８】
また、光学素子５ａ１は、四角錐に限定されるものではなく、他の多角錐や円錐であってもよい。また、光学素子５ａ１は、光源２側へ向かって凸状に限定されるものではなく、凹状であってもよい。
【００４９】
なお、図３では、光学部材８が１つのプリズムシートで構成される場合を示したが例えば、図６に示すように、光学部材８が２つのプリズムシートで構成されてもよい。図６を用いて、光学部材８が２つのプリズムシートで構成される場合について説明する。図６は、変形例に係る２部材構成の光学部材８の分解斜視図である。図６に示すように、光学部材８は、第１プリズムシート８ａと、第２プリズムシート８ｂとが積層されて構成される。
【００５０】
図６に示すように、第１プリズムシート８ａには、第１プリズム８１ａが形成され、第２プリズムシート８ｂには、第２プリズム８１ｂが形成される。具体的には、第１プリズム８１ａは、Ｙ軸方向である第１延在方向に延在し、Ｘ軸方向である第１並列方向で並列される。また、第２プリズム８１ｂは、Ｘ軸方向である第２延在方向に延在し、Ｙ軸方向である第２並列方向で並列される。
【００５１】
つまり、第１プリズム８１ａの第１延在方向および第２プリズム８１ｂの第２延在方向は、互いに直交する。第１プリズム８１ａは、出射する光をＸ軸方向に集光する。また、第２プリズム８１ｂは、第１プリズム８１ａから出射された光をＹ軸方向に集光する。すなわち、第１プリズム８１ａおよび第２プリズム８１ｂを経て出射される光は、特定方向に集光される。
【００５２】
次に、図７〜図１０を用いて、第２の実施形態に係る面状照明装置１について説明する。第２の実施形態は、光選択部材９がプリズムシート（光学シートの一例）である点において、第１の実施形態と異なる。なお、第２の実施形態では、第１の実施形態の同様の構成については、同様の符号を付してその説明を省略する。
【００５３】
図７は、第２の実施形態に係る面状照明装置１の断面図である。図７に示すように、第２の実施形態に係る面状照明装置１は、プリズムシートとして構成される光選択部材９を備える。具体的には、光選択部材９は、入光面９ａから入光した光が出光する出光面９ｂに対して略垂直に交差する光は反射し、略垂直以外の角度で交差する光は透過する角度依存性を有する。
【００５４】
また、図７に示すように、光選択部材９は、第１の実施形態とは配置が異なる。すなわち、光選択部材９は、波長変換部材６に対して導光板５とは反対側に配置され、波長変換部材６および拡散部材７の間に配置される。従って、光選択部材９は、波長変換部材６から出射する白色の光Ｌ１を反射または透過する。なお、光Ｌ２については、第１の実施形態と同様であるため、記載を省略する。
【００５５】
具体的には、光選択部材９は、波長変換部材６から出射した白色の光Ｌ１が入光面９ａから入光し、出光面９ｂ（出入面の一例）から出光する際に、反射または透過する。より具体的には、光選択部材９は、出光面９ｂに形成されたプリズム９ｂ１（光学素子の一例）によって、略垂直に交差する光を反射し、略垂直以外の角度で交差する光を透過する角度依存性を有する。
【００５６】
また、図７では、第２の実施形態に係る面状照明装置１は、光源２が青色光を発する構成であるため、波長変換部材６を有したが、例えば、光源２が白色光を出射する構成である場合、波長変換部材６を省略してもよい。
【００５７】
次に、図８および図９を用いて、プリズムシート（光学シートの一例）としての光選択部材９について詳細に説明する。図８は、第２の実施形態に係る光選択部材９の上面図である。図９は、第２の実施形態に係る光選択部材９の断面図である。なお、図９には、図８のＣ−Ｃ線で切断した断面図を示す。
【００５８】
図８に示すように、複数のプリズム９ｂ１は、ＸＹ平面上において、行方向および列方向それぞれに配列される。なお、プリズム９ｂ１の配列方法は、図８に示す行列方向に限定されるものではなく、例えば、千鳥配置等の任意の配列方法であってよい。
【００５９】
また、図８および図９に示すように、プリズム９ｂ１は、Ｚ軸正方向側である拡散部材７（図７参照）へ向かって凸状の形状で形成される。具体的には、プリズム９ｂ１は、４つの傾斜面９０ａ〜９０ｄによって形成される四角錐である。
【００６０】
より具体的には、図９に示すように、互いに対向する２つの傾斜面９０ａ，９０ｂが四角錐の頂点で直交する。なお、図示しないが、他の２つの傾斜面９０ｃ，９０ｄも同様に、四角錐の頂点で直交する。
【００６１】
ここで、図９には、出光面９ｂの法線ＮＬと、法線ＮＬに対する２つの光Ｌ２の交差角度αを示している。また、２つの光Ｌ２は、それぞれ傾斜面９０ａおよび傾斜面９０ｂに当たることとする。なお、光Ｌ１は、出光面９ｂに対して略垂直に交差する光である。また、光Ｌ１は、主として、光源２の直上部へ発せられる光であり、光Ｌ２は、光源２の直上部から離れた周辺部へ発せられる光であるとも言える。
【００６２】
まず、図９に示すように、光源２の光Ｌ１は、出光面９ｂに対して略垂直に交差するため、傾斜面９０ａに対しては、略４５°で交差することとなる。このため、光Ｌ１は、傾斜面９０ａで反射し、傾斜面９０ｂへ当たる。そして、光Ｌ１は、傾斜面９０ｂに対して略４５°で交差するため、傾斜面９０ｂで当たった光Ｌ１は、反射して、光選択部材９側へ戻る。このように、光選択部材９は、出光面９ｂに対して略垂直に交差する光Ｌ１を反射する。
【００６３】
一方、出光面９ｂに対して所定の交差角度αで交差した光Ｌ２（左側の光Ｌ２）は、傾斜面９０ｂに対して略直角に近い角度で交差することとなる。このため、光Ｌ２は、傾斜面９０ｂによって屈折されて透過する。また、傾斜面９０ａに当たる光Ｌ２（右側の光Ｌ２）は、傾斜面９０ａに対して比較的広角に交差するため、傾斜面９０ｂに向かって反射する。そして、傾斜面９０ｂに対して略直角に近い角度で交差するため、傾斜面９０ｂによって屈折されて透過する。このように、光選択部材９は、出光面９ｂに対して略垂直以外の角度（交差角度α）で交差する光Ｌ２を透過する。
【００６４】
そして、上記したように、光Ｌ１は、光源２の直上部へ発せられる光であり、光Ｌ２は、直上部の周辺部に発せられる光である。すなわち、プリズム９ｂ１により角度依存性を有する光選択部材９は、光源２の直上部の輝度を抑えつつ、周辺部の輝度を高めることができるため、全体として輝度の均一性を向上させることができる。
【００６５】
なお、図８および図９では、互いに対向する２つの傾斜面９０ａ，９０ｂ（あるいは傾斜面９０ｃ，９０ｄ）は、直交する場合に限定されるものではなく、２つの傾斜面９０ａ，９０ｂ（あるいは傾斜面９０ｃ，９０ｄ）が鋭角または広角に交差してもよい。
【００６６】
また、プリズム９ｂ１は、四角錐に限定されるものではなく、他の多角錐や円錐であってもよい。また、プリズム９ｂ１は、Ｚ軸正方向側へ向かって凸状に限定されるものではなく、凹状であってもよい。
【００６７】
また、図８および図９では、光選択部材９は、１つのプリズムシートとして構成される場合を示したが、光選択部材９は、２つのプリズムシートとして構成されてもよい。かかる点について、図１０を用いて説明する。
【００６８】
図１０は、第２の実施形態の変形例に係る光選択部材９および光学部材８の上面図である。図１０の上段では、光選択部材９および光学部材８を分けた状態を示し、下段では、光選択部材９および光学部材８を積層した状態を示す。
【００６９】
また、図１０の上段において、光学部材８は、第１プリズムシート８ａ（Ｚ軸負方向側）および第２プリズムシート８ｂ（Ｚ軸正方向側）が重ねて配置される。第１プリズムシート８ａは、例えば、Ｙ軸方向である第１延在方向に延在する第１プリズム８１ａが形成される。
【００７０】
第２プリズムシート８ｂは、例えば、Ｘ軸方向である第２延在方向に延在する第２プリズム８１ｂが形成される。そして、図１０に示すように、第１プリズム８１ａの第１延在方向および第２プリズム８１ｂの第２延在方向は、互いに直交する。なお、第１プリズム８１ａおよび第２プリズム８１ｂの形状等の詳細については、図６と同様であるため、説明を省略する。
【００７１】
また、光選択部材９は、第１プリズムシート９２ａ（Ｚ軸負方向側）および第２プリズムシート９２ｂ（Ｚ軸正方向側）が重ねて配置される。第１プリズムシート９２ａは、例えば、第３延在方向に延在する第１プリズム９１ａが形成される。また、第２プリズムシート９２ｂは、例えば、第４延在方向に延在する第２プリズム９１ｂが形成される。第１プリズム９１ａおよび第２プリズム９１ｂは、例えば、Ｚ軸正方向側である拡散部材７（図７参照）へ向かって凸状の形状を有する。そして、図１０に示すように、第１プリズム９１ａの第３延在方向および第２プリズム９１ｂの第４延在方向は、互いに直交する。
【００７２】
そして、図１０の下段に示すように、光選択部材９（Ｚ軸負方向側）および光学部材８（Ｚ軸正方向側）を重ねた場合に、光選択部材９の第１プリズム９１ａおよび第２プリズム９１ｂと、光学部材８の第１プリズム８１ａおよび第２プリズム８１ｂとは、延在方向がそれぞれ異なる。
【００７３】
具体的には、第１プリズム９１ａ、第２プリズム９１ｂ、第１プリズム８１ａおよび第２プリズム８１ｂは、ＸＹ平面上において、４５度ずつ回転方向にずれて延在する。すなわち、各プリズムが上面視（Ｚ軸正方向側からの視点）で略平行とならないため、出射光にモアレ縞が発生することを抑制することができる。すなわち、輝度の均一性を向上させることができる。
【００７４】
なお、図１０では、第１プリズム９１ａ、第２プリズム９１ｂ、第１プリズム８１ａおよび第２プリズム８１ｂそれぞれの延在方向の一例を示しているに過ぎず、各プリズムの延在方向が異なれば任意の延在方向であってよい。
【００７５】
上述してきたように、第１の実施形態に係る面状照明装置１は、複数の光源２と、導光板５と、光選択部材９とを備える。導光板５は、光学素子５ａ１が形成される主面であり、光源２の光が入射する入射面５ａと、入射面５ａとは反対側の主面であり、入射面５ａから入射した光を出射する出射面５ｂとを有する。光選択部材９は、導光板５に対して出射面５ｂ側に並列され、導光板５から出射した光が入射する入光面９ａに対する当該光の入射角度が入光面９ａと略平行な角度であるほど反射率が低い角度依存性を有する。これにより、輝度の均一性を向上させることができる。
【００７６】
また、上述してきたように、第２の実施形態に係る面状照明装置１は、複数の光源２と、導光板５と、光選択部材９とを備える。導光板５は、光学素子５ａ１が形成される主面であり、光源２の光が入射する入射面５ａと、入射面５ａとは反対側の主面であり、入射面５ａから入射した光を出射する出射面５ｂとを有する。光選択部材９は、導光板５に対して出射面５ｂ側に並列され、入光した光が出光する出光面９ｂに対して略垂直に交差する光を反射し、略垂直以外の角度で交差する光を透過する角度依存性を有する。これにより、輝度の均一性を向上させることができる。
【００７７】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００７８】
１  面状照明装置、２  光源、３  基板部、３ａ  基板、４  フレーム、５  導光版、６  波長変換部材、７  拡散部材、８  光学部材、８ａ，９２ａ  第１プリズムシート、８ｂ，９２ｂ  第２プリズムシート、９  光選択部材、９ａ１  光学素子、９ｂ１，８１  プリズム
【図１】
2020009556.tif 000003
【図２】
2020009556.tif 000004
【図３】
2020009556.tif 000005
【図４】
2020009556.tif 000006
【図５】
2020009556.tif 000007
【図６】
2020009556.tif 000008
【図７】
2020009556.tif 000009
【図８】
2020009556.tif 000010
【図９】
2020009556.tif 000011
【図１０】
2020009556.tif 000012